(57)【要約】【課題】ＬＥＤ照明装置１００において、透光管１内にＬＥＤ支持部材２を簡単に取り付けられるようにする。【解決手段】表面及び裏面を有し、前記表面側で前記ＬＥＤ３を支持するＬＥＤ支持部材２と、前記ＬＥＤ支持部材２の裏面が添設される円筒状内面１ａを有した筒状をなす透光管１と、前記透光管１の側端開口部を覆うものであって、該透光管１の軸方向と垂直な方向であるラジアル方向には少なくともガタ無く取り付けられるキャップ部材４とを具備し、前記キャップ部材４には、該キャップ部材４を前記透光管１に取り付ける際に前記ＬＥＤ支持部材２に設けた当接面９ｂを押圧して、該ＬＥＤ支持部材２を透光管１の円筒状内面１ａとの間で挟み込む押し当て面９ａを設けるようにした。【選択図】図４
2014241186.tif 000002
【特許請求の範囲】
【請求項１】
ＬＥＤと、
表面及び裏面を有し、前記表面側で前記ＬＥＤを支持するＬＥＤ支持部材と、
前記ＬＥＤ支持部材の裏面が添設される内面を有した筒状をなす透光管と、
前記透光管の端部開口を覆うものであって、該透光管の軸方向と垂直な方向であるラジアル方向には少なくともガタ無く取り付けられるキャップ部材とを具備し、
前記キャップ部材には押し当て面が設けてあって、該キャップ部材を前記軸方向に動かして前記透光管に取り付ける際に、前記押し当て面が前記ＬＥＤ支持部材に設けた当接面を透光管の内面方向に押圧して、該ＬＥＤ支持部材を透光管の内面との間で挟み込むように構成してあることを特徴とするＬＥＤ照明装置。
【請求項２】
前記押し当て面と当接面とが当接することによって、前記ＬＥＤ支持部材がキャップ部材に対して前記軸方向を中心とする周方向には動かないように拘束されることを特徴とする請求項１記載のＬＥＤ照明装置。
【請求項３】
前記透光管が円筒状をなすとともに、前記キャップ部材が、透光管の端部開口からその内部に嵌り込んで該透光管に取り付けられる嵌入体を具備したものにおいて、
軸方向から視た外輪郭形状が互いに補完して円弧となる部分円弧状の部位が、前記嵌入体及びＬＥＤ支持部材にそれぞれ設けてあり、前記各部位を軸方向から視た円弧端部に前記押し当て面及び当接面が形成されていることを特徴とする請求項２記載のＬＥＤ照明装置。
【請求項４】
ＬＥＤ支持部材の端部に、前記ＬＥＤに接続されている内部接続端子が設けてあるとともに、キャップ部材の内側には外部に接続される外部接続端子が設けてあり、
キャップ部材を前記軸方向に沿って取付開始位置から取付終了位置にまで移動させる間に、前記押し当て面と当接面とが当接してキャップ部材のＬＥＤ支持部材に対する周方向の位置決めがなされ、この位置決めがなされた取付中間位置において、前記内部接続端子と外部接続端子とが対向するように構成してある請求項２又は３記載のＬＥＤ照明装置。
【請求項５】
キャップ部材において、前記押し当て面から軸方向における透光管側に行くにつれＬＥＤ支持部材から離れるように傾斜するテーパ面が設けてある請求項１乃至４いずれか記載のＬＥＤ照明装置。
【請求項６】
ＬＥＤ支持部材において、前記当接面から軸方向におけるキャップ部材側に行くにつれ押し当て面から離れるように傾斜するテーパ面が設けてある請求項１乃至５いずれか記載のＬＥＤ照明装置。
【発明の詳細な説明】
【技術分野】
【０００１】
本発明は、検査などの特殊分野や室内外照明などの一般分野で用いられるＬＥＤ照明装置に関し、特にライン型のＬＥＤ照明装置に好適に用いられるものに関する。
【背景技術】
【０００２】
従来のこの種のＬＥＤ照明装置として、特許文献１に記載されているような蛍光管型のものがある。かかるＬＥＤ照明装置は、ＬＥＤチップを一列に並べて搭載したＬＥＤ搭載基板を透光管に収容し、この透光管の両端部をキャップコネクタで封止したものである。
【０００３】
このようなＬＥＤ照明装置の場合、ＬＥＤ搭載基板を透光管内に固定することが必要であり、そのために、透光管における反光照射側からＬＥＤ搭載基板をねじ止めしたり、特許文献１に示すように、透光管に長手方向に延びる貫通溝を設け、ＬＥＤ搭載基板を支持する支持ベースを前記貫通溝に係合させたりして、ＬＥＤ搭載基板を固定するようにしている。
【０００４】
しかしながら、このような構成であると、透光管に穿孔したり溝を切ったりするといった加工が必要になるため、透光管を製作するコストが増大するうえ、ＬＥＤ搭載基板をネジ止めなどで透光管に固定する際の穿孔部分や溝切部分での割れや破壊の可能性を考えると、透光管にガラスを使うことが難しくなる。
【０００５】
ガラスは、樹脂と異なって透湿防止機能に優れ、例えば植物工場などの高温多湿の環境で用いて内部の状態を湿度の低い良好な状態に保ち得る。そのため、内部の反射板に用いられる例えば銀の硫化やＬＥＤの劣化を無理なく防止できる。さらにガラスは、紫外光に強く、長寿命が期待できることから、近紫外光を励起光とするような近時のＬＥＤチップをも問題なく用いることができる。かかる利点を有するガラスを透光管に使用できないのは大きな問題である。
【０００６】
一方、前記キャップコネクタには、蛍光灯でもみられるような電力供給用の外部接続端子が外面から突出するように設けてある。この外部接続端子は、コネクタを貫通して内面からも突出させてあり、その突出部分とＬＥＤ搭載基板に設けた接続端子とが、透光管内において配線によって接続されている。
【０００７】
そして、このような構成のＬＥＤ照明装置を製作する場合は、まず基板の接続端子に配線の一端をハンダ付けなどで接続しておいて、該基板を透光管内に設置し、その後、配線の他端をキャップコネクタの接続端子にやはりハンダ付け等により接続した後、キャップコネクタを透光管の端部に装着する。
【０００８】
しかしながら、かかる作業はハンダ付けなどを伴うため煩雑であり時間がかかる。また、配線をある程度長くしないと、キャップコネクタへの配線接続ができないが、その長い配線がキャップコネクタの装着時に透光管の端部に折れ曲がって収容されるので、配線が端部のＬＥＤチップに被さって光照射を阻害したり、配線が折り曲げられるときに接続端子との接続部分に不測の力が作用して接触不良を起こしたりする恐れがある。
【先行技術文献】
【特許文献】
【０００９】
【特許文献１】特開２００９−１０５３５４号公報
【発明の概要】
【発明が解決しようとする課題】
【００１０】
本発明は上記のような問題点を鑑みてなされたものであって、その主たる所期課題は、この種のＬＥＤ照明装置において、透光管に穿孔や溝切などの特別な加工を施すことなく、簡単かつ確実にＬＥＤ搭載基板を透光管内に保持できるようにすることにある。
また本発明の副次的な課題は、前述した主たる所期課題を解決するとともに、配線作業の簡単化及び配線接続の確実化を図ることにある。
【課題を解決するための手段】
【００１１】
すなわち、本発明に係るＬＥＤ照明装置は、ＬＥＤと、表面及び裏面を有し前記表面側で前記ＬＥＤを支持するＬＥＤ支持部材と、前記ＬＥＤ支持部材の裏面が添設される内面を有した透光管と、前記透光管の側端開口部を覆うものであって、該透光管の軸方向と垂直な方向であるラジアル方向には少なくともガタ無く取り付けられるキャップ部材とを具備したものである。
【００１２】
そして、前記キャップ部材には押し当て面が設けてあって、該キャップ部材を前記軸方向に動かして前記透光管に取り付ける際に、前記押し当て面が前記ＬＥＤ支持部材に設けた当接面を透光管の内面方向に押圧して、該ＬＥＤ支持部材を透光管の内面との間で挟み込むように構成してあることを特徴とする。
【００１３】
このようなものであれば、キャップ部材を透光管の端部開口に例えば嵌め込んで取り付けるだけで、ＬＥＤ支持部材がキャップ部材の押し当て面と透光管の内面とに挟み込まれて固定されるので、製作における作業性を大幅に改善できる。また、透光管に穿孔したり溝切りしたりするといったＬＥＤ支持部材取付用の特別の加工を施す必要がないので、透光管に市販の標準管を用いることができるようになり、コスト削減にも寄与し得る。さらに、透光管に前記特別の加工を施さないので、透光管にガラス管を用いても強度的な問題が生じない。したがって、透湿遮断機能に優れ、紫外光に強いガラス管の特性を活かすことができ、例えば、植物工場などの高温多湿環境での本ＬＥＤ照明装置の使用や、近紫外光励起タイプのＬＥＤの採用などが問題なくできるようになる。
【００１４】
ＬＥＤ支持部材とキャップ部材との相対的な位置決めをできるようにするには、前記押し当て面とこれに対向する当接面とが当接することによって、ＬＥＤ支持部材がキャップ部材に対して前記軸方向を中心とする周方向には動かないように拘束されるものが好ましい。
より具体的には、前記透光管が円筒状をなすとともに、前記キャップ部材が、透光管の端部開口からその内部に嵌り込んで該透光管に取り付けられる嵌入体を具備したものにおいて、軸方向から視た外輪郭形状が互いに補完して円弧状となる部分円弧状の部位が、前記嵌入体及びＬＥＤ支持部材にそれぞれ設けてあり、前記各部位を軸方向から視た円弧端部に前記押し当て面及び当接面が形成されているものを挙げることができる。
【００１５】
ＬＥＤ支持部材とキャップ部材との相対的な位置決めができるのであれば、キャップ部材を透光管に取り付けるとともに、ＬＥＤ支持基板に設けた接続端子を、配線を介することなく、キャップ部材に設けた外部接続端子に接触することができ、大幅な作業性の改善とコストダウンに寄与し得る。
【００１６】
そのための具体的な態様としては、ＬＥＤ支持部材の端部に接続端子が設けてあるとともに、キャップ部材の内面には外部に連通する外部接続端子が設けてあり、キャップ部材を前記軸方向に沿って取付開始位置から取付終了位置にまで移動させる間に、前記押し当て面と当接面とが当接してキャップ部材のＬＥＤ支持部材に対する周方向の位置決めがなされ、この位置決めがなされた取付中途位置において、前記接続端子と外部接続端子とが正対するように構成してあるものを挙げることができる。
【００１７】
このようなものであれば、取付中途位置において前記接続端子と外部接続端子とが正対して接続可能な状態となり、あとは、キャップ部材を取付終了位置にまで押し込むだけで、前記接続端子と外部接続端子とを無理なく、かつ確実に接続することができる。
【００１８】
キャップ部材の透光管に対する取付作業をより簡単化するには、キャップ部材において、前記押し当て面から軸方向における透光管側に行くにつれ当接面から離れるように傾斜するテーパ面が設けてあるものが好ましい。ＬＥＤ支持部材において、前記当接面から軸方向におけるキャップ部材側に行くにつれ押し当て面から離れるように傾斜するテーパ面が設けてあるものでもよい。
【発明の効果】
【００１９】
このように構成した本発明に係るＬＥＤ照明装置によれば、キャップ部材を透光管の端部開口に例えば嵌め込んで取り付けるだけで、ＬＥＤ支持部材がキャップ部材の押し当て面と透光管の内面とに挟み込まれて固定されるので、製作における作業性を大幅に改善できる。
【００２０】
また、透光管に穿孔したり溝切りしたりするといったＬＥＤ支持部材取付用の特別の加工を施す必要がないので、透光管に市販の標準管を用いることができるようになり、コスト削減にも寄与し得る。
【００２１】
さらに、透光管に前記特別の加工を施さないので、透光管にガラス管を用いても強度的な問題が生じない。したがって、透湿遮断機能に優れ、紫外光に強いガラス管の特性を活かすことができ、例えば、植物工場などの高温多湿環境での本ＬＥＤ照明装置の使用や、近紫外光励起タイプのＬＥＤの採用などが問題なくできるようになる。
【図面の簡単な説明】
【００２２】
【図１】本発明の一実施形態におけるＬＥＤ照明装置の全体斜視図。
【図２】同実施形態におけるＬＥＤ照明装置の分解斜視図。
【図３】同実施形態におけるＬＥＤ支持部材の組み立てを示す横断面図。
【図４】同実施形態におけるＬＥＤ照明装置の端部内部構造を示す斜視断面図。
【図５】同実施形態におけるＬＥＤ照明装置の端部内部構造を示す水平縦断面図（図６におけるＡ−Ａ線断面図）。
【図６】同実施形態におけるＬＥＤ照明装置の端部内部構造を示す横断面図（図７におけるＣ−Ｃ線断面図）。
【図７】同実施形態におけるＬＥＤ照明装置の端部内部構造を示す垂直縦断面図（図６におけるＢ−Ｂ線断面図）。
【図８】本発明の他の実施形態におけるキャップ部材の側面図。
【発明を実施するための最良の形態】
【００２３】
以下、本発明の一実施形態を、図面を参照して説明する。
本実施形態に係るＬＥＤ照明装置１００は、室内外の一般照明や植物育成用照明等に用いることができる蛍光管型のものであって、図１、図２に示すように、透光管１と、この透光管１内に収容されるＬＥＤ支持部材２と、ＬＥＤ支持部材２に搭載された複数のＬＥＤ３と、前記透光管１の両端開口部を封止するキャップ部材４、４’とを具備する。
各部を説明する。
【００２４】
前記透光管１は、図２に示すように、内面１ａ（以下、内周面とも言う）及び外面１ｂ（以下、外周面とも言う）を有した円筒状をなすガラス製のもので、その両端面が該透光管１の軸方向と垂直に切り揃えられている。この透光管１の壁体は透明であってもよいし、例えば曇りがかった非透明なものであってもよい。また透光管１の壁体全てが透光性を有する必要はなく、部分的に透光性があって他の部分は遮光されているようなものでも構わない。
ＬＥＤ支持部材２は、支持ベース２１とＬＥＤ搭載基板２２とから構成されたものである。
【００２５】
支持ベース２１は、長手方向寸法が前記透光管１よりもやや小さい、概略部分円筒状をなす長尺状のものであり、所定の剛性を有する。なお、部分円筒状とは、端面から視たときに一部が欠けた環状となる形状のことである。
【００２６】
この支持ベース２１の裏面である外周面２１ａは、前記透光管１の内周面１ａと略曲率を同じにしてある。そして、前記外周面２１ａを熱伝導性に富む接着剤乃至ジェルを介して透光管１の内周面１ａに密着させてある。一方、この支持ベース２１の表面である内周面２１ｂには、その周方向中央からラジアル方向に突出する、先端面が平らな突条状の熱伝導部２１１が一体に設けてある。この熱伝導部２１１は、支持ベース２１の端部間に亘って延びるものである。さらに、この支持ベース２１の軸方向に平行な各縁部には、対向する縁部に向かって突出する突条状をなす係止部２１２がそれぞれ設けてある。
【００２７】
ＬＥＤ搭載基板２２は、配線が予めプリントされたいわゆるプリント基板と称される長尺矩形平板状のものであり、ここでは、厚みが０．５ｍｍ以下で非常に薄く、弾性変形により湾曲可能なタイプのものが用いられている。このＬＥＤ搭載基板２２には、その表面における幅方向中央に、長手方向に沿って一列に端から端まで等間隔で、例えば白色光を発する表面実装型高輝度タイプのＬＥＤ３が搭載される。また、その一端部には、ＬＥＤ３への電力供給用の一対の内部接続端子たる雌（又は雄）接続端子Ｔ１が取り付けられる。
【００２８】
しかして、このＬＥＤ搭載基板２２の長手方向寸法は、前記支持ベース２１の長手方向寸法とほぼ同じで、その幅方向寸法は、前記係止部２１２間の離間寸法よりも大きくなるように構成されている。そして、このＬＥＤ搭載基板２２は、図３に示すように、ＬＥＤ３等が搭載された後、幅方向に曲げられながら、支持ベース２１の表面側から裏面側に向かって押し込まれる。このことにより、ＬＥＤ搭載基板２２が平面状態に戻ろうとする弾性復帰力が働き、該ＬＥＤ搭載基板２２は、その各側縁が前記各係止部２１２に係合して、ガタ無く支持ベース２１の表面側に固定される。
【００２９】
また、その一方で、ＬＥＤ搭載基板２２の幅方向中央部、すなわちＬＥＤ３が搭載されている領域が、図３に示すように、前記熱伝導部２１１の先端面に押圧密着する。このことにより、ＬＥＤ３からの熱が熱伝導部２１１を伝って、支持ベース２１、透光管１に伝えられて放熱作用が営まれる。
【００３０】
さらにこの実施形態では、図２に示すように、ＬＥＤ搭載基板２２の側縁に部分円状の切り欠き２２ａが複数設けてある。この切り欠き２２ａは、ＬＥＤ３とＬＥＤ３との間に配置されたものであり、ＬＥＤ搭載基板２２を支持ベース２１に押し込む際に生じ得る基板２２の不測の捻れや曲がりを軽減し、ＬＥＤ３の接触不良や故障等を抑制するためのものである。
【００３１】
キャップ部材は一対あり、その一方のキャップ部材４は、図１、図４等に示すように、円板状のキャップ本体４１と、このキャップ本体４１を貫通してその外面から軸方向に突出する一対の接続ピン４２と、キャップ本体４１の内面における外周縁部から軸方向に突出する概略部分円筒状をなす嵌入体４３と、前記キャップ本体４１の内面側であって嵌入体４３のラジアル方向内側に取り付けられた配線基板４４とを具備したものである。なお、他方のキャップ部材４’は、前記一方のキャップ部材４と同一でもよいし、接続ピン４２又は配線基板４４を省略したものでも良い。以下に各部を説明する。
【００３２】
キャップ本体４１は、透光管１の外周径と略同径をなす例えば樹脂製のものであり、透光管１の端部開口を封止するように取り付けられる。
【００３３】
接続ピン４２は、図５に示すように、キャップ本体４１の外面から突出した一端部分４２ａが、図示しない外部電力供給装置のコネクタに接続されるように構成したものである。この接続ピン４２は、キャップ本体４１を貫通して他端部分４２ｂがその内面からも突出するように構成してある。この突出した他端部分４２ｂは、前記配線基板４４を支持する支持部材と、配線基板４４に電気的に接続するための電気接続子として機能を兼ねるものである。具体的には、前記他端部分４２ｂの先端にねじ穴Ｓ１が形成してあり、ネジＳ２を、前記配線基板４４を貫通させて前記ねじ穴Ｓ１に螺合させることにより、前記配線基板４４が、軸方向と直交する姿勢で前記他端部分４２ｂの先端に固定されるようにしてある。
【００３４】
なお、この配線基板４４は、図５、図６に示すようにキャップ本体４１の内面中心から軸方向に突出させた位置決めピンと配線基板４４の中央に設けた位置決め孔との嵌合によって形成されるセンタ出し機構Ｐ１によって、キャップ本体４１の中心に配置されるとともに、配線基板４４の周縁部に設けた切り欠きと、嵌入体４３の内周面から突出する凸部との嵌合によって形成される周方向位置決め機構Ｐ２によって、この配線基板４４のキャップ本体４１に対する周方向の位置決めがなされるようにも構成してある。
【００３５】
配線基板４４には、図４、図５に示すように、外部接続端子たる一対の雄（又は雌）接続端子Ｔ２がその内面側から軸方向に突出するように設けてあり、各接続端子Ｔ２が、配線基板４４上のプリント配線によって前記各接続ピン４２とそれぞれ電気接続されるように構成してある。なお、この配線基板４４に抵抗やコンデンサなどを取り付けて、ノイズ除去や電流制限などを行えるようにしても良い。
【００３６】
嵌入体４３は、図４〜図７に示すように、部分円筒状をなす半筒部４３１と、この半筒部４３１の外周面からラジアル方向に突出する複数のリブ部材４３２とからなるものである。半筒部４３１は、その外径が透光管１の内径よりもやや小さいものであり、基端部分４３１ａが円筒状をなすとともに、その基端部分４３１ａから連続する先端部分４３１ｂが、軸方向から視たときに、円環の一部が欠けた形状をなしている。その欠けた部分の大きさは、前記ＬＥＤ支持部材２が略嵌り込む大きさに設定してある。すなわち、半筒部先端部分４３１ｂ及びＬＥＤ支持部材２の軸方向から視た外輪郭形状が互いに補完して、透光管１の内周円よりやや小さい乃至略合致する円弧状となるように構成してある。
また、側方、すなわち軸方向と垂直でかつＬＥＤの光軸垂直な方向から視ると、この半筒部先端部分４３１ｂにおけるＬＥＤ支持部材２側の縁は軸方向に平行に延びており、この縁に後述する押し当て面９ａが形成されている。この押し当て面９ａは、ラジアル方向外側を向く成分を含んだ面である。また、前記側方からみると、半筒部４３１の縁は、前記押し当て面９ａから先端に行くにつれＬＥＤ支持部材２から離れるような、斜めに切れ上がるテーパ面８ａとなっている。さらに前記テーパ面８ａの先端からは、半筒部４３１の縁は、前記テーパ面８ａとは逆に傾斜する拡開面８ｂとなっており、ＬＥＤ３からの光を可及的に阻害しないような構成にしてある。
【００３７】
リブ部材４３２は、半筒部４３１の外周面の少なくとも３箇所に取り付けられた軸方向にも延びる板状をなすもので、そのラジアル方向先端面にはキャップ本体４１側に行くにつれ、ラジアル方向に突出するようなテーパが設けられている。そして、嵌入体４３を透光管１の端部開口から入れることによって、前記リブ部材４３２のラジアル方向先端面がテーパの作用により徐々に透光管１の内周面に押圧され、正規の取付位置では、キャップ部材４がラジアル方向にガタ無く、かつ透光管１と軸線を一致させて、すなわちラジアル方向に位置決めされた状態で、該透光管１に取り付けられるようにしてある。
【００３８】
さらに、この実施形態では、キャップ部材４を透光管１に取り付けた状態において、図４等に示すように、半筒部４３１に形成された一対の前記押し当て面９ａが、支持ベース２１の各側縁端部に形成された当接面９ｂに当接するように構成してある。
次に、このように構成した本実施形態に係るＬＥＤ照明装置１００の組み立て方法を以下に説明する。
【００３９】
まず、ＬＥＤ３、雌接続端子Ｔ１等の部品を搭載したＬＥＤ搭載基板２２を、支持ベース２１に嵌め込んで係止する。このようにして組み立てたＬＥＤ搭載後のＬＥＤ支持部材２を透光管１内に挿入し、その裏面を透光管１の内面１ａに接着剤乃至ジェル７を介して添設する。
【００４０】
次にキャップ部材４を透光管１の一端部に取り付ける。
すなわち、まず、透光管１の外側からその一端部開口にキャップ部材４の嵌入体４３を軸方向に動かして嵌め入れる。その嵌入始めである取付開始位置において、概略、キャップ部材４を、軸方向から視て半筒部４３１の押し当て面９ａが前記支持ベース２１の各側縁にほぼ合致する角度に合わせておく。
【００４１】
そして、キャップ部材４を透光管１内に挿入すると、前記半筒部４３１の先端部に設けたテーパ面８ａに案内されて、キャップ部材４乃至ＬＥＤ支持部材２が回転し、相対角度調整が自動的になされ、前記半筒部４３１の各押し当て面９ａが、前記支持ベース２１の各側縁に形成される当接面９ｂとそれぞれ当接し始める。
【００４２】
このことによって、ＬＥＤ支持部材２がキャップ部材４に対して周方向には動かないように相対的に固定されるとともに、キャップ部材４のＬＥＤ支持部材２に対する周方向の位置決めがなされ、この位置決めがなされた取付中途位置において、前記雌接続端子Ｔ１と雄接続端子Ｔ２とが正対する。
【００４３】
さらに、この取付中途位置からキャップ部材４を透光管１内に押し込むと、押し当て面９ａが、当接面９ｂと軸方向には摺動しながら、該当接面９ｂを透光管１の内面１ａ方向に押圧して、前記ＬＥＤ支持部材２を透光管１の内面１ａとの間で挟み込む。その一方で、キャップ部材４のＬＥＤ支持部材２とは、押し当て面９ａと当接面９ｂとの当接によって周方向には相対的な位置決めが継続された状態であるから、前記雌接続端子Ｔ１と雄接続端子Ｔ２とが実質的にずれなく嵌合し始める。
【００４４】
最終的に、取付終了位置、すなわち、キャップ部材４の内向き面、すなわち、半筒部基端部分４３１ａの先端面４ｃにＬＥＤ支持部材２の端面が当接するまでキャップ部材４を押し込むと、リブ部材４３２によってキャップ部材４は透光管１にガタ無く固定され、かつこのキャップ部材４に押圧されてＬＥＤ支持部材２の一端部も透光管１内にガタ無く固定される。その一方で、前記雌接続端子Ｔ１と雄接続端子Ｔ２とが電気的に接続された図５、図７等に示す状態となる。
そして、この取付終了位置において、キャップ部材４は、キャップ本体４１の外周縁内面４１ａが透光管１の端面に略当接して、透光管１に対する軸方向の位置決めがなされるとともに、ＬＥＤ支持部材２は、その端面がキャップ部材４における半筒部基端部分４３１ａの先端面４ｃに略当接することによって、キャップ部材に４に対する軸方向の位置決めがなされるので、結果的に、ＬＥＤ支持部材２の透光管１に対する軸方向の位置決めがなされることとなる。
【００４５】
また、他方のキャップ部材４も、接続端子の接続は無いものの、前記一方のキャップ部材４同様に透光管１に取り付けることによって、ＬＥＤ支持部材２の他端部が透光管１内に固定される。
【００４６】
各キャップ部材４は、透光管１に略同時に取り付けても良いし、いずれか一方から取り付けても良い。なお、この実施形態では、各キャップ部材４の半筒部基端部分４３１ａが、ＬＥＤ支持部材２の各端面を押圧して該ＬＥＤ支持部材２の軸方向の位置を規定するため、キャップ部材４の取付の際には、ＬＥＤ支持部材２が透光管１に対して若干動くことになる。したがって、透光管１内にＬＥＤ支持部材２を接着する接着剤を用いる場合は、接着剤が乾かないうちにキャップ部材４を透光管１に取り付けることが好ましい。
【００４７】
しかして、このように構成したＬＥＤ照明装置１００によれば、キャップ部材４を透光管１の端部開口に例えば嵌め込んで取り付けるだけで、ＬＥＤ支持部材２がキャップ部材４の押し当て面９ａと透光管１の内周面１ａとに挟み込まれて固定されるので、製作における作業性を大幅に改善できる。
【００４８】
また、透光管１に穿孔したり溝切りしたりするといったＬＥＤ支持部材２取付用の特別の加工を施す必要がないので、透光管１に市販の標準管を用いることができるようになり、コスト削減にも寄与し得る。
【００４９】
さらに、透光管１に前記特別の加工を施さないので、透光管１にガラス管を用いても強度的な問題が生じない。したがって、透湿遮断機能に優れ、紫外光に強いガラス管の特性を活かすことができ、例えば、植物工場などの高温多湿環境での本ＬＥＤ照明装置１００の使用や、近紫外光励起タイプのＬＥＤの採用などが問題なくできるようになる。
【００５０】
加えて、キャップ部材４を透光管１に取り付けるときに、ＬＥＤ支持部材２とキャップ部材４との周方向の相対的な位置決めが、接続端子Ｔ１、Ｔ２同士の接続に先だってなされるため、ＬＥＤ３支持基板に設けた雌接続端子Ｔ１を、配線を介することなく、キャップ部材４に設けた雄接続端子Ｔ２に確実にかつ無理なく接続することができ、大幅な作業性の改善とコストダウンを図れる。
また、その接続端子Ｔ１、Ｔ２に無理な力が加わらないので、接続端子Ｔ１、Ｔ２として、本実施形態のように、金属だけで一体成形されたような構造の簡単な安価なものを用いることができる。
【００５１】
なお、本発明は前記実施形態に限られるものではない。
例えば、透光管は円筒状に限られない。また、ＬＥＤ支持部材２も、前記実施形態では、支持ベース２１とＬＥＤ搭載基板２２とからなるものであったが、支持ベース２１がなく、ＬＥＤ搭載基板そのものがＬＥＤ支持部材であるような構成でもよい。
さらに、例えば、半筒部４３１において、図８に示すように押し当て面９ａの近傍に、軸方向に延びる切り込みＫを形成し、押し当て面９ａにバネ性を持たせてもよい。このことによって、より確実にＬＥＤ支持部材２を透光管１に密着させることができる。
加えて、前記テーパ面８ａをキャップ部材に設けず、ＬＥＤ支持部材に設けてもよい。すなわち、ＬＥＤ支持部材において、前記当接面から軸方向におけるキャップ部材側に行くにつれ押し当て面から離れるように傾斜するテーパ面を設けてもよい。
また押し当て面や当接面の設定位置や数は前記実施形態に限られないし、押し当て面又は当接面に若干の軸方向に傾斜するテーパを設けてもよい。
【００５２】
その他、本発明は前記実施形態に限られず、その趣旨を逸脱しない範囲で種々の変形が可能であるのは言うまでもない。
【符号の説明】
【００５３】
１００・・・ＬＥＤ照明装置
１・・・透光管
１ａ・・・内面
２・・・ＬＥＤ支持部材
２１ａ・・・裏面
３・・・ＬＥＤ
４・・・キャップ部材
９ａ・・・押し当て面
９ｂ・・・当接面
Ｔ１・・・内部接続端子
Ｔ２・・・外部接続端子
【図１】
2014241186.tif 000003
【図２】
2014241186.tif 000004
【図３】
2014241186.tif 000005
【図４】
2014241186.tif 000006
【図５】
2014241186.tif 000007
【図６】
2014241186.tif 000008
【図７】
2014241186.tif 000009
【図８】
2014241186.tif 000010